(57)【要約】【課題】  記録磁界発生用コイル、対物レンズ及びＡＴ／ＡＦ駆動用コイルを搭載した対物レンズユニットにおいて、記録磁界発生用コイルの配線による対物レンズユニットのＡＴ／ＡＦ制御動作への悪影響を低減した光磁気記録装置を提供する。【解決手段】  記録磁界発生用コイルへの配線とフォーカス或いはトラッキング駆動用コイルのどちらか一方への配線とを共有化する。【選択図】  図２
2005353117.tif 000002
【特許請求の範囲】
【請求項１】
記録媒体に記録磁界を印加する記録磁界発生用コイルと、
光源からの光を前記記録媒体の前記記録磁界の印加部分に収束する対物レンズと
前記対物レンズを前記記録媒体に対してフォーカス方向及びトラッキング方向へ駆動するための駆動用コイルとを搭載する対物レンズユニットと、
前記磁界発生用コイルへ電流信号を供給する配線と、前記駆動用コイルへ電流信号を供給する配線と
を有する光磁気記録装置において、
前記磁界発生用コイルへの配線とフォーカス或いはトラッキング駆動用コイルのどちらか一方への配線とが共有化されていることを特徴とする光磁気記録装置。
【請求項２】
前記対物レンズユニットは複数の導通部材からなる弾性支持体で支持されており、前記弾性支持体は前記配線の一部を構成していることを特徴とする請求項1記載の光磁気記録装置。
【請求項３】
前記弾性支持体は金属ワイヤーであることを特徴とする請求項２記載の光磁気記録装置。
【請求項４】
前記弾性支持体は２対からなり、１対はフォーカス或いはトラッキング駆動用コイルのどちらか一方への配線を構成し、他の１対は前記共有化された配線を構成していることを特徴とする請求項２記載の光磁気記録装置。
【請求項５】
前記磁界発生用コイルと前記共有化された配線との間にはデータ信号成分を抽出するハイパスフィルタが設けられていることを特徴とする請求項１に記載の光磁気記録装置。
【発明の詳細な説明】
【技術分野】
【０００１】
本発明は、光磁気記録層を有する光磁気記録媒体に記録磁界を印加すると同時に、記録磁界の印加部分に光ビームを照射することで情報信号の記録を行う光磁気記録装置に関する。
【背景技術】
【０００２】
従来、光磁気ディスクなどの光磁気記録媒体に設けられた光磁気記録層に、記録磁界発生用コイルによって記録すべき情報信号に応じて印加する記録磁界の向きを反転させ、同時に対物レンズによって記録磁界の印加部分に微小な光スポットに収束する光ビームを照射し、これによって情報信号を記録する磁界変調方式の光磁気記録装置が知られている。ここで一般的には記録磁界発生用コイルは、対物レンズとは別体として構成され、光スポットが光磁気記録媒体の記録トラック上を追従走査するように、対物レンズのみがアクチュエータによってトラッキング制御駆動され、一方記録磁界発生用コイルはトラッキング方向への駆動を行わずに、対物レンズの駆動による光スポットの移動範囲のすべてを含む広い領域に記録磁界を印加する方法がとられていた。
【０００３】
しかしこの場合には記録磁界発生用コイルは、少なくとも内径が光スポットの移動範囲をすべて含む大きさでなければならず、これが制約となってその記録磁界発生用コイルのインダクタンスを低減することができず、情報信号の記録速度に限界があった。
【０００４】
そこで近年、情報信号の記録速度の向上に対する要求の高まりとともに、記録磁界発生用コイルもトラッキング方向への駆動を行うことにより磁界の印加領域を縮小し、記録磁界発生用コイルのインダクタンスを低減する方法が提案されている。例えば特開２００１−２３１９２号公報には、対物レンズ、記録磁界発生用コイル、フォーカス方向およびトラッキング方向に駆動する駆動用コイルとを搭載した対物レンズユニットを有する光磁気記録装置が示されている。
【特許文献１】特開２００１−２３１９２
【発明の開示】
【発明が解決しようとする課題】
【０００５】
しかしながら、上述の対物レンズユニットでは、搭載したフォーカス方向及びトラッキング方向の駆動用コイルに駆動電流を供給しつつ、記録磁界発生用コイルに対しては情報信号に応じた電流を供給しなければならない。そのため各コイルの両端に電流を流すには少なくとも配線は３対必要となる。
【０００６】
一方、フォーカス方向及びトラッキング方向の駆動用コイルへの配線は、対物レンズユニットを支持する金属ワイヤを兼用するのが一般的であるが、通常支持部材は4本の金属ワイヤからなるため、記録磁界発生用コイルへ電流を流すには専用の引き出し配線が必要となる。
【０００７】
ところが、そのような引き出し配線は、対物レンズユニットがフォーカス方向及びトラッキング方向に移動する際の負荷となり、対物レンズユニットの制御動作に悪影響を及ぼす。
【０００８】
そこで、本発明の目的は、記録磁界発生要コイル、対物レンズ及びフォーカス及びトラッキング駆動用コイルとを搭載して対物レンズユニットを構成した場合、対物レンズユニットのフォーカス方向及びトラッキング方向の制御動作への悪影響を低減した光磁気記録装置を提供することにある。
【課題を解決するための手段】
【０００９】
記録媒体に記録磁界を印加する記録磁界発生用コイルと、光源からの光を前記記録媒体の前記記録磁界の印加部分に収束する対物レンズと前記対物レンズを前記記録媒体に対してフォーカス方向及びトラッキング方向へ駆動するための駆動用コイルとを搭載する対物レンズユニットと、前記磁界発生用コイルへ電流信号を供給する配線と、前記駆動用コイルへ電流信号を供給する配線とを有する光磁気記録装置において、前記磁界発生用コイルへの配線とフォーカス或いはトラッキング駆動用コイルのどちらか一方への配線とが共有化されていることを特徴とする光磁気記録装置。
【００１０】
前記対物レンズユニットは複数の導通部材からなる弾性支持体で支持されており、前記弾性支持体は前記配線の一部を構成していることを特徴とする光磁気記録装置。
【００１１】
前記弾性支持体は金属ワイヤーである。また、弾性支持体は２対からなり、１対はフォーカス或いはトラッキング駆動用コイルのどちらか一方への配線を構成し、他の１対は前記共有化された配線を構成している。
【００１２】
前記フォーカス或いはトラッキング駆動用コイルと前記共有化された配線との間にはフォーカスエラー信号成分或いはトラッキングエラー信号成分を抽出するフィルタが設けられている。
【００１３】
前記磁界発生用コイルと前記共有化された配線との間にはデータ信号成分を抽出するハイパスフィルタが設けられていることを特徴とする光磁気記録装置。
【発明の効果】
【００１４】
記録磁界発生用コイルへの配線とフォーカス或いはトラッキング駆動用コイルのどちらか一方への配線を共有化することで、専用の引き出し配線を必要とせず、対物レンズユニットの制御動作に対する悪影響を低減できる。その結果、正確なフォーカス及びトラッキング制御の下で高速な情報の記録が可能な光磁気記録装置を提供できる。
【発明を実施するための最良の形態】
【００１５】
以下、本発明による光磁気記録装置について、図面とともに説明するが、本発明はその主旨を逸脱しない限りにおいて以下の実施例に限定されるものではない。
【００１６】
図１に光磁気記録装置の概略構成を示す。ここで１は光磁気記録媒体である光磁気ディスク、２は光ヘッド、３は光磁気ディスク１を回転駆動するスピンドルモータである。光ヘッド２はレーザ光源１２、コリメータレンズ１３、ビームスプリッタ１４、集光レンズ１５、受光素子１６、および対物レンズ２０を保持し、フォーカスおよびトラッキング制御駆動するアクチュエータ１７より構成される。
【００１７】
図２にアクチュエータ１７の構成を示す。アクチュエータ１７は、固定部と可動部から成り、固定部は永久磁石２９ａ，２９ｂ、ヨーク２８、および支持基台２７で構成され、可動部にはレンズホルダー２２、対物レンズ２０、フォーカスコイル２３、トラッキングコイル２４が搭載され、対物レンズ２０の光磁気ディスク１と対向する面には記録磁界発生用コイル２１が設けられている。また可動部は支持基台２７に取り付けられた２対の支持部材２５ａ，２５ｂおよび２６ａ，２６ｂの先端に保持される。２対の支持部材２５ａ，２５ｂ，および２６ａ，２６ｂは線状で高導電性および弾性を有し、後述するようにフォーカスコイル２３、トラッキングコイル２４、記録磁界発生用コイル２１への電流供給手段の一部も構成している。フォーカスコイル２３と記録磁界発生用コイル２１の両端はともに支持部材２５ａ，２５ｂに接続され、トラッキングコイル２４の両端は支持部材２６ａ，２６ｂに接続されている。
【００１８】
さらに光磁気記録装置は、フォーカスエラー信号生成回路４、トラッキングエラー信号生成回路５、フォーカス制御信号生成回路６、トラッキング制御信号生成回路７、電流合成回路８、トラッキングコイル駆動回路９によって構成されている。電流合成回路８とフォーカスコイル２３、記録磁界発生用コイル２１間、およびトラッキングコイル駆動回路９とトラッキングコイル２４間は、それぞれ電流供給手段１０ａ，１０ｂおよび１１ａ，１１ｂによって電気的に接続されている。これらの電流供給手段は、ＦＰＣ（フレキシブルプリント配線板）やコネクタ等の給電部材で構成され、またその一部はアクチュエータ１７の支持部材２５ａ，２５ｂおよび２６ａ，２６ｂによって構成されている。
【００１９】
情報信号の記録を行なう場合、まずスピンドルモータ３により光磁気ディスク１を回転駆動する。この状態で、電流合成回路８から電流供給手段１０ａ，１０ｂを通して記録磁界発生用コイル２１に、記録すべき情報信号Ｄに応じた電流を供給する。これによって記録磁界発生用コイル２１の中心孔より発生する記録磁界が、光磁気ディスク１の光磁気記録層に対して垂直な方向に印加される。同時にレーザ光源１２が発生する光ビームを、コリメータレンズ１３によって平行光とし、ビームスプリッタ１４を通し、対物レンズ２０によって収束し、記録磁界発生用コイル２１の中心孔を通して光磁気ディスク１の記録トラック上、記録磁界印加部分に微小な光スポットに集光するように照射する。
【００２０】
光ビームの照射によって、光磁気ディスク１の光磁気記録層は光スポットの位置が局部的に加熱されて保磁力が低下する。さらに光スポットから離れるにつれて温度が低下し、この時に印加される記録磁界の方向に従った磁化を有する記録マークが情報信号として形成される。
【００２１】
またこのような情報信号の記録動作時に、光磁気ディスク１で反射された光ビームはビームスプリッタ１４で反射し、集光レンズ１５によって集光され、受光素子１６により検出される。受光素子１６は複数に分割されたの受光面を備え、各受光面の検出信号から、フォーカスエラー信号生成回路４によってフォーカスエラー信号が、またトラッキングエラー信号生成回路５によってトラッキングエラー信号が生成される。
【００２２】
このフォーカスエラー信号とトラッキングエラー信号に基づく制御電流が、それぞれ電流合成回路８とトラッキングコイル駆動回路９から、電流供給手段１０ａ，１０ｂおよび１１ａ，１１ｂを通してフォーカスコイル２３とトラッキングコイル２４に供給され、これにより対物レンズ２０を光磁気ディスク１に対して鉛直な方向と記録トラックに直交するラジアル方向とに駆動する。
【００２３】
このようにして光スポットは、光磁気ディスク１が面振れにより鉛直方向に変位しても、これに追従して記録トラック上に正確に集光され、また記録トラックが偏芯によりラジアル方向に変位してもこれに追従しながら走査するように制御される。また記録磁界発生用コイル２１も対物レンズ２０と一体的に駆動されるので、光スポットとともに記録磁界の印加部分も変位する。これにより情報信号である記録マークは、記録トラック上に形成される。
【００２４】
以下、上記の情報信号記録動作時のフォーカスコイル２３、トラッキングコイル２４、記録磁界発生用コイル２１への電流供給動作について、さらに詳細に説明する。
【００２５】
フォーカス制御信号生成回路６はフォーカスエラー信号に増幅、位相補償等の処理を行い、フォーカス制御信号Ｖｆを生成する。フォーカス制御信号Ｖｆは記録すべき情報信号Ｄとともに、電流合成回路８に入力される。電流合成回路８の構成を図３に示す。ここで３０は電源、３１ａ，３１ｂ，および３２ａ，３２ｂは２対のスイッチ素子、例えばＦＥＴ（電界効果トランジスタ）、３３ａ，３３ｂは電流制御素子，例えばバイポーラトランジスタ、３４ａ，３４ｂは演算回路、３５はスイッチ素子駆動回路である。またＴ３，Ｔ４は出力端子であり、電流供給手段１０ａ，１０ｂを介して、フォーカスコイル２３と、記録磁界発生用コイル２１とが並列に接続される。なおスイッチ素子３１ａ，３１ｂをインダクタンス素子で置き換え、スイッチ素子を３２ａ，３２ｂの１対のみで構成することもできる。
【００２６】
次に電流合成回路８の動作について説明する。入力端子Ｔ１を通して、演算回路３４ａ，３４ｂにはフォーカス制御信号Ｖｆが入力され、それぞれ内部で発生する略一定の基準電圧Ｖｒｅｆとフォーカス制御信号Ｖｆとの間で加算、および減算を行い、制御電圧Ｖｒｅｆ＋Ｖｆ、およびＶｒｅｆ−Ｖｆとを電流制御素子３３ａ，３３ｂに対して出力する。これにより電源３０よりスイッチ素子３１ａ，３１ｂへの電流がＩｏ＋Ｉｆ，Ｉｏ−Ｉｆとなるように制御される。ただしここでＩｏは記録磁界発生用コイル２１に供給すべき電流、Ｉｆはフォーカスコイル２３に供給すべき制御電流である。
【００２７】
一方入力端子Ｔ２を通して入力される２値の情報信号Ｄに対応して、スイッチ素子駆動回路３５は、１対のスイッチ素子３１ａ，３１ｂを交互にオン/オフするように、また他方の１対のスイッチ素子３２ａ，３２ｂは交互にオフ/オンするように制御する。これによって電源３０からの電流を、情報信号Ｄに対応して切り換えて、出力端子Ｔ３，Ｔ４から交互に送出する。この出力電流は図５に波形で示すように、情報信号Ｄに応じて方向が切り換えられ、また各方向の振幅はＩｏ＋Ｉｆ，Ｉｏ−Ｉｆとなる。ここでＩｏは上記の基準電圧Ｖｒｅｆで定められる略一定値であり、またＩｆは上記のフォーカス制御信号Ｖｆによって変化する。即ち、所定の振幅±Ｉｏを有する記録磁界発生用コイル２１への供給電流に、フォーカスコイル２３への供給電流Ｉｆを重畳した合成電流となる。この合成電流は、電流供給手段１０ａ，１０ｂを通して、フォーカスコイル２３と記録磁界発生用コイル２１に供給される。
【００２８】
なお仮に上記のような電流合成回路８を使用せずに、フォーカスコイル２３に供給すべき制御電流の発生回路と、記録磁界発生用コイル２１への電流の発生回路とを別個に設け、これらを同一の電流供給手段１０ａ，１０ｂに接続したとすると、フォーカスコイル２３に供給すべき制御電流の発生回路が、記録磁界発生用コイル２１への電流の発生回路に対しての負荷となる。ここで高速で記録磁界発生用コイル２１への電流の切り換えを行うためには、スイッチ素子にとっての負荷を最小限にする必要があり、わずかな負荷の増大によっても記録磁界発生用コイル２１への電流のスイッチングの性能が損なわれる。
【００２９】
しかしながら本発明による電流合成回路は、情報信号に応じて電流のオン／オフの切り換えを行う少なくとも１対のスイッチ素子、およびこれらの１対のスイッチ素子のそれぞれへの電流を制御する１対の電流制御手段を備え、１対の電流制御手段はフォーカス制御信号Ｖｆに応じて、１対のスイッチ素子への電流を制御し、これにより記録磁界発生用コイル２１への供給電流に、フォーカスコイル２３への供給電流を重畳した合成電流を発生する。従ってスイッチ素子にとっての駆動負荷の増加は全く無く、良好な情報信号の記録に必要なスイッチングの性能をそのまま維持できるのである。
【００３０】
次にトラッキング制御信号生成回路７はトラッキングエラー信号に増幅、位相補償等の処理を行い、トラッキング制御信号Ｖｔを生成する。トラッキングコイル駆動回路９はこのトラッキング制御信号Ｖｔに基づく電流Ｉｔを、電流供給手段１１ａ，１１ｂを通してトラッキングコイル２４に供給する。
【００３１】
ここで記録磁界発生用コイル２１への供給電流の周波数帯域は、情報信号の周波数帯域（数ＭＨｚ以上）に均しく、少なくとも必要とされる制御の性能から定められるフォーカスコイル２３への供給電流の周波数帯域（数ｋＨｚ以下）に比較して十分に高い。一方記録磁界発生用コイル２１のインダクタンスは、情報信号の記録速度に逆比例して低減する必要があり、少なくともフォーカスコイル２３のインダクタンスよりも十分に小さい。また情報信号の周波数帯域においては、各コイルのインピーダンス（インダクタンスおよび抵抗）のうちインダクタンスが支配的であり、フォーカス制御信号の周波数帯域においては、インピーダンスのうち抵抗が支配的である。
【００３２】
従って合成電流に含まれる周波数の高い情報信号の成分は、フォーカスコイル２３と記録磁界発生用コイル２１のインダクタンスの逆数の比によって分離されて、それぞれのコイルに供給され、合成電流に含まれる周波数の低い制御信号の成分は、それぞれの抵抗の逆数の比によって分割されて、フォーカスコイル２３と記録磁界発生用コイル２１に供給される。
【００３３】
このように合成電流は各コイルのインピーダンスの差によって分離されて各コイルに供給されるので、情報信号の周波数帯域においては、フォーカスコイルよりも記録磁界発生用コイルのインピーダンス（主にインダクタンス）を小さくして、電流が記録磁界発生用コイルに供給され、フォーカス制御信号の周波数帯域においては、記録磁界発生用コイルよりもフォーカスコイルのインピーダンス（主に抵抗）を小さくして、電流がフォーカスコイルに供給されるようにすることができる。
【００３４】
さらにアクチュエータ１７の動作は、供給される電流および支持機構の機械的な周波数応答特性とによって定まる。支持部材２５ａ，２５ｂ，２６ａ，２６ｂの弾性と可動部の質量とによって定まる１次共振周波数（通常は２０〜１００Ｈｚ）よりも高い周波数においては、周波数の増大とともに応答性が一定の割合で減少する。このためフォーカス制御信号の帯域に比較し、情報信号の周波数帯域における応答性は−１２０ｄＢ以下に低下している。従って仮にわずかな情報信号の成分がフォーカスコイルへの供給電流に混入しても、アクチュエータ１７が実際にそれに応答して動作し、情報信号の記録に悪影響を及ぼすことはない。
【００３５】
また仮にいくらかの制御信号の成分が記録磁界発生用コイル２１への供給電流に混入しても、実際に印加される記録磁界の振幅が、光磁気ディスク１の光磁気記録層の磁化形成に不足しないように、電流の振幅を大きく設定すれば、情報信号の記録に悪影響を及ぼすことはない。
【００３６】
しかし各コイルの抵抗の比による分離では不十分な場合には、記録磁界発生用コイル２１と直列にハイパスフィルターを設けることによって、記録磁界発生用コイル２１を含む経路のフォーカス制御信号の周波数帯域におけるインピーダンスを増大させ、フォーカス制御信号の成分が記録磁界発生用コイル２１への供給電流に混入するのを防止することができる。このようなハイパスフィルターは例えば単一のコンデンサでもよい。この時情報信号の周波数帯域とフォーカス制御信号の周波数帯域には１０００倍以上の差があるので、付加したハイパスフィルターが、記録磁界発生用コイル２１への電流供給に悪影響を及ぼすことなく、かつフォーカスコイル２３を含む制御系の制御帯域における伝達特性を見かけ上変化させ、制御動作に悪影響を及ぼすこともないように、その特性を適切に設計することができる。
【００３７】
このように本発明によれば記録磁界発生用コイル２１への供給電流に、フォーカスコイル２３への供給電流を重畳した合成電流を、１対の電流供給手段１０ａ，１０ｂを経路として供給し、さらにこの合成電流を所定の電流に分離し、それぞれ記録磁界発生用コイル２１とフォーカスコイル２３に供給するようにしている。しかも情報信号の記録動作および対物レンズ２０のフォーカス制御動作にはまったく支障がないのである。
【００３８】
なおここでは記録磁界発生用コイル２１への供給電流に、フォーカスコイル２３への供給電流を重畳するものとしたが、フォーカスコイル２３への供給電流、トラッキングコイル２４への供給電流のいずれでも重畳することができる。いずれの場合であっても、合成電流のための１対の電流供給手段１０ａ，１０ｂと、他方のコイルへの電流供給のための１対の電流供給手段１１ａ，１１ｂ、合計２対の電流供給手段のみで構成することができる。特にアクチュエータ１７においてはこれら２対の電流供給手段１０ａ，１０ｂおよび１１ａ，１１ｂは、可動部の支持部材２５ａ，２５ｂおよび２６ａ，２６ｂで構成することができる。
【００３９】
また記録磁界発生用コイルを対物レンズと一体駆動はせずに、別に設けた専用のアクチュエータによって駆動してもよい。その場合にはその可動部に、記録磁界発生用コイルとともに駆動用コイルを搭載し、記録磁界発生用コイルへの供給電流に、駆動用コイルへの供給電流を重畳した合成電流を、１対の電流供給手段を経路として供給することができる。
【００４０】
次に本発明の具体的な実施形態について説明する。装置の構成は図１〜図３に示したとおりである。本実施形態においては情報信号の記録速度は４０Ｍｂｐｓを想定し，周波数帯域は５ＭＨｚ以上とする。またフォーカス制御動作における周波数帯域は４ｋＨ以下とする。
【００４１】
また記録磁界発生用コイル２１のインダクタンスＬ１は０．４μＨ、抵抗Ｒ１は５．０Ω、フォーカスコイル２３のインダクタンスＬ２は１８μＨ，抵抗Ｒ２は５．０Ωとした。さらに記録磁界発生用コイル２１に直列にハイパスフィルターとして容量Ｃが０．１８μＦのコンデンサ３６を接続し、等価的に図４で示されるフォーカスコイル２３と記録磁界発生用コイル２１の並列回路の両端を支持部材２５ａ，２５ｂに接続した。なおコンデンサ３６は小型の積層セラミックコンデンサを使用すれば、可動部に搭載してもまったく支障はない。
【００４２】
さらに支持部材２５ａ，２５ｂを含む電流供給手段１０ａ，１０ｂを介し、電流合成回路８によって記録磁界発生用コイルへの供給電流に、フォーカスコイル２３への供給電流を重畳した合成電流を供給した。記録磁界発生用コイル２１への供給電流Ｉｏは振幅±１５０ｍＡ、情報信号に対応した周波数５〜２０ＭＨｚの矩形波である。またフォーカスコイル２３への供給電流Ｉｆは振幅±６０ｍＡ、周波数帯域ＤＣ〜４ｋＨｚである。
【００４３】
このとき情報信号の成分のフォーカスコイル２３への供給電流への混入は±３．２ｍＡ（２．１％）であった。一方フォーカス制御信号の成分の記録磁界発生用コイル２１への供給電流への混入は０．１５ｍＡ（０．２５％）であった。このように電流は良好に分離されており、記録動作、フォーカス制御動作ともに全く支障なかった。
【００４４】
次にコンデンサ３６を含む記録磁界発生用コイル２１とフォーカスコイル２３の並列回路のインピーダンス（絶対値｜Ｚ｜および位相θ）を測定し、フォーカスコイル２３単独のインピーダンスとの比較をおこなった。その結果、両者のインピーダンスの差は最大でも周波数４ｋＨｚにおいて｜ΔＺ｜＝０．００９Ω、Δθ＝１．３度であり、フォーカス制御動作に全く支障はなかった。
【図面の簡単な説明】
【００４５】
【図１】本発明による光磁気記録装置の概略構成を示す図。
【図２】本発明による光磁気記録装置のアクチュエータの構成を示す図。
【図３】本発明による光磁気記録装置の電流合成回路の構成を示す図。
【図４】実施例におけるるフォーカスコイルと記録磁界発生用コイルの等価回路を示す図。
【図５】情報信号と合成電流の波形を示す図。
【符号の説明】
【００４６】
１  光磁気ディスク
２  光ヘッド
３  スピンドルモータ
４  フォーカスエラー信号生成回路
５  トラッキングエラー信号生成回路
６  フォーカス制御信号生成回路
７  トラッキング制御信号生成回路
８  電流合成回路
９  トラッキングコイル駆動回路
１０ａ，１０ｂ  電流供給手段
１１ａ，１１ｂ  電流供給手段
１７  アクチュエータ
２０  対物レンズ
２１  記録磁界発生用コイル
２２  レンズホルダー
２３  フォーカスコイル
２４  トラッキングコイル
２５ａ，２５ｂ  支持部材
２６ａ，２６ｂ  支持部材
２９ａ，２９ｂ  永久磁石
３０  電源
３３ａ，３３ｂ  電流制御素子
３４ａ，３４ｂ  演算回路
３５  スイッチ素子駆動回路
【図１】
2005353117.tif 000003
【図２】
2005353117.tif 000004
【図３】
2005353117.tif 000005
【図４】
2005353117.tif 000006
【図５】
2005353117.tif 000007